【手続補正書】
【提出日】平成25年12月12日(2013.12.12)
【手続補正１】
【補正対象書類名】特許請求の範囲
【補正対象項目名】全文
【補正方法】変更
【補正の内容】
【特許請求の範囲】
【請求項１】
ネットワークを介する通信フローを許可するための要求を受信する工程と、
前記通信フローを前記ネットワークが処理することができるかどうかを判別する前に、前記ネットワークを介する前記通信フローを少なくとも一時的に許可する工程であって、前記通信フローが一時的に許可される間の期間が、一時的期間を含む、工程と、
前記一時的期間の間に発生する複数の通信フローによる使用のために全ネットワーク帯域幅の第１の構成可能比率を割り当てる工程と、
前記通信フローによって用いられるネットワークリソースの利用可能性を判別する工程と、
前記通信フローのプライオリティを判別する工程と、
前記ネットワークリソースの前記利用可能性に少なくとも部分的に基づいて、および、前記プライオリティに少なくとも部分的に基づいて、前記要求に応答する工程と
を含む、方法。
【請求項２】
前記通信フローのための前記ネットワークリソースを取っておく工程をさらに含む、請求項１に記載の方法。
【請求項３】
前記ネットワークリソースが、帯域幅、待ち時間、ジッタ、および処理時間の少なくとも１つに基づいている、請求項１に記載の方法。
【請求項４】
前記要求に応答する工程が、前記通信フローの完了を許可する工程、前記通信フローを終了させる工程、または前記通信フローに割り当てられた前記ネットワークリソースを変更する工程の少なくとも１つを含む、請求項１に記載の方法。
【請求項５】
前記プライオリティを指定するために、前記通信フローにおいて送信されるパケットにマーキングする工程をさらに含む、請求項１に記載の方法。
【請求項６】
前記応答する工程が、一時的に許可された通信フローに応答するためのポリシーに少なくとも部分的に基づいており、前記ポリシーが、１つまたは複数のパケットマーキング、前記通信フローのコンテンツ、または、前記通信フローの種類を定めるアプリケーションに基づいている、請求項５に記載の方法。
【請求項７】
前記通信フローに割り当てられた前記ネットワークリソースが、前記通信フローの種類、または、前記通信フローにおける前記プライオリティの少なくとも一方に基づいて変化する、請求項１に記載の方法。
【請求項８】
完了することを前記通信フローが許可された場合に、前記通信フローに割り当てられた前記ネットワークリソースを非同期的に変更する工程をさらに含む、請求項１に記載の方法。
【請求項９】
前記通信フローに割り当てられた前記ネットワークリソースを非同期的に変更する工程が、前記許可された通信フローより高いプライオリティの通信フローのための要求の受信に応じて行われる、請求項８に記載の方法。
【請求項１０】
ネットワークを介した通信フローを許可するための要求を受信するように構成されたレシーバと、
前記レシーバに動作可能に結合しており、前記要求を受信する時に前記ネットワークにおける１つまたは複数の利用可能なリソースを判別するように構成されたプロセッサと、
前記プロセッサに動作可能に結合しており、ネットワークアドミッションポリシーの少なくとも一部を記憶するように構成されたメモリであって、前記要求に対する応答が送信される前に、前記ネットワークアドミッションポリシーが、前記ネットワークを介する前記通信フローを少なくとも一時的に許可し、前記ネットワークアドミッションポリシーが、前記１つまたは複数の利用可能なリソース、前記通信フローのために用いられることになるネットワークリソース、および前記通信フローのプライオリティの少なくとも１つに基づいて、許可する要求を定め、前記通信フローが一時的に許可される間の期間が、一時的期間を含む、メモリと
を備え、
前記プロセッサが、前記一時的期間の間に発生する複数の通信フローによる使用のために全ネットワーク帯域幅の構成可能比率を割り当てるように構成され、
前記プロセッサが、前記ネットワークアドミッションポリシーを実行し、前記要求に対する応答を生成するようにさらに構成される、システム。
【請求項１１】
前記レシーバが、前記ネットワークアドミッションポリシーに対する設定または変更をユーザーから受信するようにさらに構成される、請求項１０に記載のシステム。
【請求項１２】
前記プロセッサが、前記受信された設定または変更に基づいて、前記ネットワークアドミッションポリシーを更新するようにさらに構成される、請求項１１に記載のシステム。
【請求項１３】
前記要求が受信される時に前記ネットワークにおいて許可される通信に基づいて前記ネットワークアドミッションポリシーを更新するように前記プロセッサがさらに構成される、請求項１０に記載のシステム。
【請求項１４】
命令を記憶した非一時的なコンピュータ可読媒体であって、前記命令が、
ネットワークを介した通信フローを許可するための要求を受信するための命令と、
前記要求に対する応答を送信する前に、前記ネットワークを介した前記通信フローを少なくとも一時的に許可するための命令であって、前記通信フローが一時的に許可される間の期間が、一時的期間を含む、命令と、
前記一時的期間の間に発生する複数の通信フローによる使用のために全ネットワーク帯域幅の構成可能比率を割り当てるための命令と、
前記ネットワークにおける利用可能なネットワークリソースを判別するための命令と、
前記通信フローのプライオリティを判別するための命令と、
前記利用可能なネットワークリソース、前記要求を満たすために用いられることになるネットワークリソース、および前記プライオリティの１つまたは複数に基づいて、前記要求に対する前記応答を生成するための命令と
を含む、非一時的なコンピュータ可読媒体。
【請求項１５】
クライアントデバイスによって、ネットワークの１つまたは複数のネットワークリソースにアクセスするための要求を送る工程と、
前記要求に対する応答が受信される前に、前記１つまたは複数のネットワークリソースにアクセスする工程であって、前記１つまたは複数のネットワークリソースが前記応答の受信の前にアクセスされる間の期間が、一時的期間を含み、前記一時的期間の間のアクセスが、前記一時的期間の間に発生する複数の通信フローによる使用のために割り当てられた全ネットワーク帯域幅の構成可能比率の一部に対してである、工程と
前記要求に対する前記応答をネットワーク管理システムから受信する工程であって、前記応答が、前記要求に関連するプライオリティに少なくとも部分的に基づいている、工程と
を含む、方法。
【請求項１６】
前記要求が、前記ネットワークを介する通信フローのための要求を含み、前記１つまたは複数のネットワークリソースが帯域幅を含む、請求項１５に記載の方法。
【請求項１７】
前記要求に対する前記応答が、前記通信フローを許可する工程、前記通信フローを終了させる工程、または、前記通信フローに割り当てられた前記ネットワークリソースを変更する工程を含む、請求項１６に記載の方法。
【請求項１８】
前記プライオリティを指定するために、前記通信フローにおいて送信される１つまたは複数のパケットにマーキングする工程をさらに含む、請求項１６に記載の方法。
【請求項１９】
アプリケーション層において前記１つまたは複数のパケットにマーキングする工程をさらに含む、請求項１６に記載の方法。
【請求項２０】
前記応答が、パケットにおけるマーキング、通信フローのコンテンツ、または、通信フローの種類を定めるアプリケーションに基づいている、請求項１５に記載の方法。
【請求項２１】
ネットワークの１つまたは複数のネットワークリソースにアクセスするための要求を送るように構成された送信機と、
前記送信機に動作可能に結合しており、前記要求に対する応答が受信される前に、通信フローを生成し、前記１つまたは複数のネットワークリソースにアクセスするように構成されたプロセッサであって、前記１つまたは複数のネットワークリソースが前記応答の受信の前にアクセスされる間の期間が、一時的期間を含み、前記一時的期間の間のアクセスが、前記一時的期間の間に発生する複数の通信フローによる使用のために割り当てられた全ネットワーク帯域幅の構成可能比率の一部に対してである、プロセッサと、
前記プロセッサに動作可能に結合されており、前記要求に対する前記応答をネットワーク管理システムから受信するように構成された受信機であって、前記応答が、前記要求に関連するプライオリティに少なくとも部分的に基づいている、受信機と
を備える、装置。
【請求項２２】
前記プロセッサが、前記通信フローの前記プライオリティを指定するために、前記通信フローに含まれる１つまたは複数のパケットにマーキングするようにさらに構成される、請求項２１に記載の方法。
【請求項２３】
前記１つまたは複数のネットワークリソースが、帯域幅、待ち時間、ジッタ、および処理時間の少なくとも１つに基づいている、請求項２１に記載の方法。
【請求項２４】
前記応答が前記要求を拒否し、前記プロセッサが、前記応答に基づいて、前記１つまたは複数のネットワークリソースにアクセスすることを中止するようにさらに構成される、請求項２１に記載の装置。
【請求項２５】
命令を記憶した非一時的なコンピュータ可読媒体であって、前記命令が、
ネットワークの１つまたは複数のネットワークリソースにアクセスするための要求を送るための命令と、
前記要求に対する応答が受信される前に、通信フローを生成し、前記１つまたは複数のネットワークリソースにアクセスするための命令あって、前記１つまたは複数のネットワークリソースが前記応答の受信の前にアクセスされる間の期間が、一時的期間を含み、前記一時的期間の間のアクセスが、前記一時的期間の間に発生する複数の通信フローによる使用のために割り当てられた全ネットワーク帯域幅の構成可能比率の一部に対してである、命令と、
前記要求に対する前記応答をネットワーク管理システムから受信するための命令であって、前記応答が、前記要求に関連するプライオリティに少なくとも部分的に基づいている、命令と
を含む、非一時的なコンピュータ可読媒体。
【請求項２６】
前記１つまたは複数のネットワークリソースが、帯域幅、待ち時間、ジッタ、および処理時間の少なくとも１つに基づいている、請求項２５に記載の非一時的なコンピュータ可読媒体。
【請求項２７】
前記応答が前記要求を拒否し、
前記応答に基づいて、前記１つまたは複数のネットワークリソースにアクセスすることを中止するための命令をさらに含む、請求項２５に記載の非一時的なコンピュータ可読媒体。